(57)【特許請求の範囲】
【請求項１】
入力されたデータストリームを、記録媒体の論理ブロックのデータサイズとは整数倍の関係に無い固定長のパケット形式で第１ファイルとして前記記録媒体に記録する記録制御部と、
前記第１ファイルを２箇所のパケット境界で分割し、前記２箇所のパケット境界で挟まれる部分を含めずに、最初の前記パケット境界の前と２個目の前記パケット境界以降を結合する編集制御部を備え、
前記編集制御部は、前記第１ファイルの先頭から最初の前記パケット境界までを含む第２ファイルと、２個目の前記パケット境界以降から前記論理ブロックの境界までを含む第３ファイルと、残りを含む第４ファイルを記録すると共に、前記第２ファイル、前記第３ファイル、および前記第４ファイル間の関係情報を含む関係情報ファイルを併せて記録することを特徴とする情報記録装置。
【請求項２】
前記関係情報は、前記第２ファイル、前記第３ファイル、および前記第４ファイル間の順序情報であることを特徴とする請求項１に記載の情報記録装置。
【請求項３】
前記第２ファイル、前記第３ファイル、前記第４ファイル、および前記関係情報ファイルのファイル名および開始論理ブロックを示す情報をまとめて記録することを特徴とする請求項１に記載の情報記録装置。
【請求項４】
入力されたデータストリームを、記録媒体の論理ブロックのデータサイズとは整数倍の関係に無い固定長のパケット形式で第１ファイルとして前記記録媒体に記録する記録制御部と、
前記第１ファイル内を２箇所のパケット境界で分割し、前記２箇所のパケット境界で挟まれる部分を含めずに、最初の前記パケット境界の前と、２個目の前記パケット境界以降を結合する編集制御部を備え、
前記編集制御部は、前記第１ファイルの先頭から最初の前記パケット境界までを含む第２ファイルと、２個目の前記パケット境界以降を含ませた第３ファイルを記録すると共に、前記第２ファイルおよび前記第３ファイル間の関係情報を含む関係情報ファイルを併せて記録し、
前記第２ファイルの末尾、および前記第３ファイルの先頭には、合計して整数個の前記パケットを追加して配置することを特徴とする情報記録装置。
【請求項５】
前記関係情報は、前記第２ファイル、および前記第３ファイル間の順序情報であることを特徴とする請求項４に記載の情報記録装置。
【請求項６】
前記第２ファイル、前記第３ファイル、および前記関係情報ファイルのファイル名および開始論理ブロックを示す情報をまとめて記録することを特徴とする請求項４に記載の情報記録装置。
【請求項７】
記録媒体の論理ブロックのデータサイズとは整数倍の関係に無い固定長のパケットで構成されるデータストリームが、２箇所のパケット境界で分割され、先頭から最初の前記パケット境界までを含む第１ファイルと、２個目の前記パケット境界以降から前記論理ブロックの境界までを含む第２ファイルと、残りを含む第３ファイルとして記録されると共に、前記第１ファイル、前記第２ファイル、および前記第３ファイル間の関係情報を含む関係情報ファイルが記録された記録媒体から、前記第１ファイル、前記第２ファイル、前記第３ファイルを読み出して前記データストリームを再生する再生部と、
前記関係情報ファイルを参照して前記データストリームの再生を行う再生部を制御する再生制御部を備え、  前記再生制御部は、前記関係情報ファイルと、前記第1ファイルのデータサイズ、前記第２ファイルのデータサイズまたは前記第３ファイルのデータサイズとを参照して、目的のデータが格納されているファイルと格納されている位置とを割り出して前記目的のデータを読み出すことを特徴とする情報再生装置。
【請求項８】
記録媒体の論理ブロックのデータサイズとは整数倍の関係に無い固定長のパケットで構成されるデータストリームが、２箇所のパケット境界で分割され、先頭から最初の前記パケット境界までを含む第１ファイルと、２個目の前記パケット境界以降を含ませた第２ファイルとして記録されると共に、前記第１ファイルの末尾、および前記第２ファイルの先頭に、合計して整数個の前記パケットが追加して記録され、さらに前記第１ファイルおよび前記第２ファイル間の関係情報を含む関係情報ファイルが記録された記録媒体から、前記第1ファイルおよび前記第２ファイルを読み出して前記データストリームを再生する再生部と、
前記関係情報ファイルを参照して前記データストリームの再生を行う再生部を制御する再生制御部を備え、
前記再生制御部は、前記関係情報ファイルと、前記第1ファイルのデータサイズまたは前記第２ファイルのデータサイズとを参照して、目的のデータが格納されているファイルと格納されている位置とを割り出して前記目的のデータを読み出すことを特徴とする情報再生装置。
【請求項９】
入力されたデータストリームを、記録媒体の論理ブロックのデータサイズとは整数倍の関係に無い固定長のパケット形式で第１ファイルとして前記記録媒体に記録し、前記第１ファイルを２箇所のパケット境界で分割し、前記２箇所のパケット境界で挟まれる部分を含めずに、最初の前記パケット境界の前と２個目の前記パケット境界以降を結合する方法であって、
前記第１ファイルの先頭から最初の前記パケット境界までを含む第２ファイルと、２個目の前記パケット境界以降から前記論理ブロックの境界までを含む第３ファイルと、残りのパケットを含む第４ファイルを記録すると共に、前記第２ファイル、前記第３ファイル、および前記第４ファイル間の関係情報を含む関係情報ファイルを併せて記録することを特徴とする情報記録方法。
【請求項１０】
前記関係情報は、前記第２ファイル、前記第３ファイル、および前記第４ファイル間の順序情報であることを特徴とする請求項９に記載の情報記録方法。
【請求項１１】
前記第２ファイル、前記第３ファイル、前記第４ファイル、および前記関係情報ファイルのファイル名および開始論理ブロックを示す情報をまとめて記録することを特徴とする請求項９に記載の情報記録方法。
【請求項１２】
入力されたデータストリームを、記録媒体の論理ブロックのデータサイズとは整数倍の関係に無い固定長のパケット形式で第１ファイルとして前記記録媒体に記録し、前記第１ファイル内を２箇所のパケット境界で分割し、前記２箇所のパケット境界で挟まれる部分を含めずに、最初の前記パケット境界の前と、２個目の前記パケット境界以降を結合する方法であって、
前記第１ファイルの先頭から最初の前記パケット境界までを含む第２ファイルと、２個目の前記パケット境界以降を含ませた第３ファイルを記録すると共に、前記第２ファイルおよび前記第３ファイル間の関係情報を含む関係情報ファイルを併せて記録し、
前記第２ファイルの末尾、および前記第３ファイルの先頭には、合計して整数個の前記パケットを追加して配置することを特徴とする情報記録方法。
【請求項１３】
前記関係情報は、前記第２ファイル、および前記第３ファイル間の順序情報であることを特徴とする請求項１２に記載の情報記録方法。
【請求項１４】
前記第２ファイル、前記第３ファイル、および前記関係情報ファイルのファイル名および開始論理ブロックを示す情報をまとめて記録することを特徴とする請求項１２に記載の情報記録方法。
【請求項１５】
記録媒体の論理ブロックのデータサイズとは整数倍の関係に無い固定長のパケットで構成されるデータストリームが、２箇所のパケット境界で分割され、先頭から最初の前記パケット境界までを含む第１ファイルと、２個目の前記パケット境界以降から前記論理ブロックの境界までを含む第２ファイルと、残りを含む第３ファイルとして記録されると共に、前記第１ファイル、前記第２ファイル、および前記第３ファイル間の関係情報を含む関係情報ファイルが記録された記録媒体から、前記第1ファイル、前記第２ファイル、前記第３ファイルを読み出して前記データストリームを再生する情報再生方法であって、
前記関係情報ファイルに記録された前記関係情報を参照して前記データストリームの再生を行うことを特徴とする情報再生方法。
【請求項１６】
記録媒体の論理ブロックのデータサイズとは整数倍の関係に無い固定長のパケットから構成されるデータストリームが、２箇所のパケット境界で分割され、先頭から最初の前記パケット境界までを含む第１ファイルと、２個目の前記パケット境界以降を含ませた第２ファイルとして記録されると共に、前記第１ファイルの末尾、および前記第２ファイルの先頭に、合計して整数個の前記パケットが追加して記録され、さらに前記第１ファイルおよび前記第２ファイル間の関係情報を含む関係情報ファイルが記録された記録媒体から、前記第1ファイルおよび前記第２ファイルを読み出して前記データストリームを再生する情報再生方法であって、
前記関係情報ファイルに記録された前記関係情報を参照して前記データストリームの再生を行う情報再生方法。
【発明の詳細な説明】
【０００１】
【発明の属する技術分野】
本発明は、リアルタイムで映像信号及び音声信号を圧縮して光ディスク等の記録媒体へ記録する情報記録装置および方法、ならびに記録媒体に記録された映像信号及び音声信号を伸長して再生する情報再生装置および方法に関する。
【０００２】
【従来の技術】
映像を低いビットレートで圧縮する方法として、ＭＰＥＧ２規格（ISO/IEC 13818-1）で規定されているシステムストリームがある。このシステムストリームとしては、プログラムストリーム、トランスポートストリーム、及びＰＥＳ（Packetized Elementary Stream）ストリームの３種類が規定されている。
【０００３】
一方、磁気テープに代わる記録媒体としては、相変化光ディスク（例えば、ＤＶＤ−ＲＡＭやＭＶＤＩＳＣ）や光磁気ディスク（ＭＯ）等の光ディスクが注目を浴びてきている。例えば、ＤＶＤ−ＲＡＭ上に映像を記録するための規格として、VIDEO RECORDING規格(DVD Specifications for Rewritable/Re-recordable Discs Part 3 VIDEO RECORDING Version 1.0 September 1999)がある。
【０００４】
また、相変化光ディスクに対して、ISO/IEC 13818-1で規定されるＭＰＥＧ２のトランスポートストリームから成る動画ファイルを記録再生する場合もある。この場合、映像データは、ISO/IEC 13818-2で規定されるＭＰＥＧ２で圧縮され、音声データは、例えばISO/IEC 13818-7で規定されるＭＰＥＧ２−ＡＡＣ（Advanced Audio Cording）で圧縮される。
【０００５】
図６に、従来の相変化光ディスクを使ったトランスポートストリームのリアルタイム記録再生装置３００の構成図を示す。図６において、映像信号および音声信号の記録時は、映像信号入力部１００及び音声信号入力部１０２から入力した信号を各々映像圧縮部１０１および音声圧縮部１０３で圧縮し、次にシステムエンコード部１０４においてトランスポートストリームを作成し、記録部１２０及びピックアップ１３０を経由して相変化光ディスク１３１へ書き込む。ここで、映像圧縮部１０１と、音声圧縮部１０３と、システムエンコード部１０４とでＭＰＥＧエンコーダ１７０が構成される。
【０００６】
映像信号および音声信号の再生時は、ピックアップ１３０および再生部１２１を経由して取り出したトランスポートストリームをシステムデコード部１１４で映像信号と音声信号に分離し、各々映像伸長部１１１および音声伸長部１１３を介して、映像表示部１１０および音声出力部１１２へ出力する。ここで、映像伸長部１１１と、音声伸長部１１３と、システムデコード部１１４とでＭＰＥＧデコーダ１７１が構成される。
【０００７】
映像信号および音声信号の記録時には、記録制御部１６１が、記録部１２０、連続データ領域検出部１６０および論理ブロック管理部１６３の制御を行ない、記録を実施する。このとき、連続データ領域検出部１６０は、記録制御部１６１の指示に応じて、論理ブロック管理部１６３で管理されるセクタの使用状況を調べて、物理的に連続する空き領域を検出する。記録が完了する際に、トランスポートビットストリームからなる動画ファイルが作成される。
【０００８】
映像信号および音声信号の再生時には、再生制御部１６２が、再生部１２１の制御を行ない、再生を実施する。
【０００９】
また、記録された映像信号および音声信号を含む動画ファイルの一部を削除する等の編集処理を実施する際には、編集制御部１６４が起動される。
【００１０】
図７は、相変化光ディスク１３１にリアルタイムで映像記録する場合の記録形態を示す図である。図７において、相変化光ディスク１３１は２ｋバイトのセクタから構成され、１６個のセクタを１つの論理ブロック（３２ｋバイト）として取り扱い、この論理ブロックごとに誤り訂正符号を付与して相変化光ディスク１３１へ記録するようになっている。
【００１１】
さらに、少なくとも所定時間分のデータサイズ（最大読み込みレートで、例えば０．５秒分のデータ）を有する物理的に連続する論理ブロックを１つの連続データ領域として確保し、この領域へ、０．４〜１秒分のＭＰＥＧトランスポートストリームからなる単位ビデオパケットであるムービー・オブジェクト・ユニット（Movie Object Unit：以下、「ＭＯＢＵ」という）を順に記録する。
【００１２】
１つのＭＯＢＵは、１８８バイト単位のＭＰＥＧトランスポートストリームの下位階層であるトランスポートパケットから構成される。トランスポートパケットは、ビデオ圧縮データが格納されたビデオ・トランスポートパケット（Ｖ＿ＴＳＰ）と、オーディオ圧縮データが格納されたオーディオ・トランスポートパケット（Ａ＿ＴＳＰ）と、プログラム・アソシエーション・テーブル・トランスポートパケット（ＰＡＴ＿ＴＳＰ）、およびプログラム・マップ・テーブル・トランスポートパケット（ＰＭＴ＿ＴＳＰ）の４種類から構成されている。
【００１３】
また、１つのＭＯＢＵには、対応する時間のＶ＿ＴＳＰが全て含まれる。さらに、１つのＭＯＢＵには、Ｔ−ＳＴＤ（トランスポートストリーム・システム・ターゲットデコーダ）を満足するためにタイミング的に必要となる音声フレームを含むＡ＿ＴＳＰが全て含まれる。すなわち、ＭＯＢＵ内で音声フレームが完結する。また、１つのＭＯＢＵのデータサイズは、映像が可変ビットレートであれば、最大記録再生レート以下の範囲で変動する。一方、映像が固定ビットレートであれば、ＭＯＢＵのデータサイズはほぼ一定である。
【００１４】
図８は、Ｖ＿ＴＳＰ、Ａ＿ＴＳＰ、ＰＡＴ＿ＴＳＰ、およびＰＭＴ＿ＴＳＰの詳細を示す図である。図８に示すように、Ｖ＿ＴＳＰは、トランスポートパケットヘッダとビデオデータから構成され、Ａ＿ＴＳＰは、トランスポートパケットヘッダとオーディオデータから構成され、ＰＡＴ＿ＴＳＰは、主にトランスポートパケットヘッダおよびプログラム・アソシエーション・テーブルから構成され、ＰＭＴ＿ＴＳＰは、主にトランスポートパケットヘッダおよびプログラム・マップ・テーブルから構成される。
【００１５】
Ｖ＿ＴＳＰ、Ａ＿ＴＳＰ、ＰＡＴ＿ＴＳＰ、およびＰＭＴ＿ＴＳＰの４つは、トランスポートパケットヘッダ内のＰＩＤ（Packet ID）で識別される。例えば、図８に示すように、Ｖ＿ＴＳＰにはＰＩＤ＝“０ｘ００２０”、Ａ＿ＴＳＰはＰＩＤ＝“０ｘ００２１”、ＰＡＴ＿ＴＳＰはＰＩＤ＝“０ｘ００００”、ＰＭＴ＿ＴＳＰはＰＩＤ＝“０ｘ００３０”を検出することにより識別される。
【００１６】
ここで、Ｖ＿ＴＳＰおよびＡ＿ＴＳＰ用のＰＩＤの割り当て状況は、ＰＭＴ＿ＴＳＰ内のプログラム・マップ・テーブルに記録される。なお、ＰＡＴ＿ＴＳＰ用のＰＩＤは“０ｘ００００”の固定値をとる。
【００１７】
図６に示す情報記録再生装置の連続データ領域検出部１６０は、１つの連続データ領域の残りが少なくなった時点で、次の連続データ領域の再検出を行なう。そして、１つの連続データ領域が一杯になると、次の連続データ領域に書き込みを行なう。
【００１８】
また、図９は、光ディスク上の記録内容がＦＡＴ（File Allocation Table）ファイルシステムによって管理されている状態の例を示す。ここで、ＦＡＴファイルシステムのクラスタは図７の論理ブロックに相当し、そのデータサイズは３２ｋＢｙｔｅであるものとする。図９においては、記録開始ボタンのオンとオフの各１回の操作により、１つのＭＰＥＧトランスポートストリームが動画ファイル「ｍｏｖｉｅ０００．ｍ２ｔ」として記録される場合を示す。
【００１９】
図９に示すように、ファイル名およびそのファイル内のデータの開始クラスタ番号は、ディレクトリ・エントリに格納される。また、ＦＡＴは、ファイル内のデータの格納先をクラスタ単位で管理する。例えば、あるクラスタ番号に対応するＦＡＴ内のアドレスには、次の格納先クラスタ番号が保持される。これらのディレクトリ・エントリおよびＦＡＴにより、１つのファイルとそのファイルを構成する３つの連続データ領域ａ、ｂ、ｃを管理する。なお、図９に示すファイル名における拡張子の部分（ｍ２ｔ）とそれ以外の部分（ｍｏｖｉｅ０００）とは、ディレクトリ・エントリ内の別々のフィールドに記録されるが、説明を簡略化するために区別していない。
【００２０】
上記のように、連続データ領域が３つに分かれる経緯について説明する。まず、記録制御部１６１が、連続データ領域ａへの記録中に不良論理ブロックを見つけると、当該不良論理ブロックをスキップして、連続データ領域ｂの先頭から書き込みを継続することになる。
【００２１】
また、記録制御部１６１が、連続データ領域ｂへの記録中にＰＣファイルの記録領域に記録する必要が生じたことを検出すると、今度はＰＣファイルの記録領域をスキップして、連続データ領域ｃの先頭から書き込みを継続することになる。この結果、ファイル「ｍｏｖｉｅ０００．ｍ２ｔ」は３つの連続データ領域ａ、ｂ、ｃから構成されることになる。
【００２２】
図１０は、編集後の映像ファイルのデータ構造を示す図である。図１０に示すように、ファイルの途中が削除された場合、削除箇所よりも前に位置するデータストリームＡ、削除箇所の後に位置するデータストリームＢ、およびパディングから編集後のファイルを構成する。このパディングのデータサイズは最大で１．５０４ＭＢｙｔｅ（平均では７５２ｋＢｙｔｅ）となる。この最大値は、トランスポートパケットのデータサイズである１８８Ｂｙｔｅと、論理ブロックのデータサイズである３２ｋＢｙｔｅとの最小公倍数である。
【００２３】
なお、ここで、パディングはヌルトランスポートパケット（ＰＩＤ＝１ＦＦＦｈのパケット）としたが、別のＰＩＤを有するパケットであっても良い。
【００２４】
【発明が解決しようとする課題】
図１０に示すように、動画ファイルの途中を部分的に削除し、その残りの部分をひとつにまとめてひとつの動画ファイルにする場合、従来では、パディング量が非常に大きくなるという問題があった。
【００２５】
そこで、本発明は、上記問題点に鑑みてなされたものであり、その目的は、ファイルの途中を削除して残りの部分を結合する場合に、パディング用のトランスポートパケットを挿入する必要が無く、限られた記録スペースを有効に利用することが可能な情報記録装置および方法、ならびに情報再生装置および方法を提供することにある。
【００２６】
【課題を解決するための手段】
前記の目的を達成するため、本発明に係る情報記録装置は、入力されたデータストリームを、記録媒体の論理ブロックのデータサイズとは異なる固定長のパケット形式で前記論理ブロックに対して記録する記録制御部を備え、記録制御部は、データストリームを任意の位置で一旦終端して、終端点以前のデータストリームと、終端点の直後以降のデータストリームとを別々のデータファイルとして記録すると共に、データファイル間の関係情報を併せて記録することを特徴とする。
【００２７】
本発明に係る情報記録装置において、関係情報は、データファイル間の順序情報である。
【００２８】
上記の構成によれば、パディング用のトランスポートパケットを挿入する必要が一切無くなる。これにより、限られた記録スペースを有効に利用することが可能になる。
【００２９】
また、本発明に係る情報記録装置において、データストリームの終端位置はデータストリームの意味的な不連続点であることを特徴とする。
【００３０】
この構成によれば、データストリームの意味的に連続している部分へのアクセス時に、どの論理ブロックにデータが含まれているのかを容易に算出できる。
【００３１】
前記の目的を達成するため、本発明に係る情報再生装置は、記録媒体の論理ブロックのデータサイズとは異なる固定長のパケット形式で構成されるデータファイルを分割して作成された複数の分割データファイルに対して、別に記録された複数の分割データファイル間の関係情報を参照して、分割前のデータファイルに対する再生処理と同じ処理を実施する再生制御部を備えたことを特徴とする。
【００３２】
この構成によれば、ひとつのファイル内にトランスポートストリームを格納する場合と同様にして分割されたファイル内のトランスポートストリームにアクセスすることが可能になる。
【００３３】
前記の目的を達成するため、本発明に係る情報記録方法は、入力されたデータストリームを任意の位置で一旦終端して、終端点以前のデータストリームと、終端点の直後以降のデータストリームとを別々のデータファイルとして、記録媒体の論理ブロックのデータサイズとは異なる固定長のパケット形式で論理ブロックに対して記録すると共に、データファイル間の関係情報を併せて記録することを特徴とする。
【００３４】
本発明に係る情報記録方法において、関係情報は、データファイル間の順序情報である。
【００３５】
上記の方法によれば、パディング用のトランスポートパケットを挿入する必要が一切無くなる。これにより、限られた記録スペースを有効に利用することが可能になる。
【００３６】
また、本発明に係る情報記録方法において、データストリームの終端位置はデータストリームの意味的な不連続点であることを特徴とする。
【００３７】
この構成によれば、データストリームの意味的に連続している部分へのアクセス時に、どの論理ブロックにデータが含まれているのかを容易に算出できる。
【００３８】
前記の目的を達成するため、本発明に係る情報再生方法は、記録媒体の論理ブロックのデータサイズとは異なる固定長のパケット形式で構成されるデータファイルを分割して作成された複数の分割データファイルに対して、別に記録された複数の分割データファイル間の関係情報を参照して、分割前のデータファイルに対する再生処理と同じ処理を実施することを特徴とする。
【００３９】
この方法によれば、ひとつのファイル内にトランスポートストリームを格納する場合と同様にして分割されたファイル内のトランスポートストリームにアクセスすることが可能になる。
【００４０】
【発明の実施の形態】
以下、本発明の実施の形態について、図面を参照しながら説明する。
【００４１】
（実施の形態１）
図１は、本発明の実施の形態１に係る情報記録再生装置２００の構成を示すブロック図である。本実施形態と図６に示す従来例とは、編集制御部１６４の処理内容が異なる。その他の部分の構成および機能は従来と同じであり、同一の符号を付して説明を省略する。
【００４２】
図２は、本実施形態における編集後の動画ファイルのデータ構造を示す図である。なお、図２において、編集前の動画ファイルは、従来と同様のＭＯＢＵから構成されているものとする。図２中もデータストリームＡは削除部分よりも前の部分を示し、データストリームＢおよびＣは削除部分よりも後の部分を示す。データストリームＣの先頭データは、削除部分直後の最初の論理ブロック先頭のデータである。したがって、データストリームＢのデータサイズは３２ｋＢｙｔｅ以内である。データストリームＡ、Ｂ、およびＣはそれぞれファイルＡ、Ｂ、およびＣを構成する。データストリームＢのデータは、そのデータが格納されていた論理ブロック内でデータを前詰めすることにより、ファイルＢを構成する。
【００４３】
図３は、本実施形態における編集後のファイル構成を示す図である。図３において、編集前にファイル名が「ｍｏｖｉｅ０００．ｍ２ｔ」であった動画ファイルは、図２に示す部分削除の実施により、３つのファイル「ｍｏｖｉｅ０００−００１．ｐｔｓ」、「ｍｏｖｉｅ０００−００２．ｐｔｓ」、「ｍｏｖｉｅ０００−００３．ｐｔｓ」に分割された形態でひとまとまりのデータストリームとして記録されることになる。「ｍｏｖｉｅ０００．ｃｔｓ」は、３つのファイル間の関係を管理する管理ファイルであり、そこに３つのファイルのファイル名とデータストリームを構成する順序が記録される。
【００４４】
以上のような処理により、記録済みの映像ファイルの途中部分を削除する場合、３つに分割されたファイルで構成されるひとつのデータストリーム内にパディングを挿入する必要が一切無くなる。すなわち、各ファイル内のデータストリーム内にパディングを挿入する必要が一切無くなる。
【００４５】
編集後の動画ファイルを再生する場合は、再生制御部１６２が、管理ファイル「ｍｏｖｉｅ０００．ｃｔｓ」を参照することにより、３つに分割されたファイルに対して、分割前のファイル「ｍｏｖｉｅ０００．ｍ２ｔ」と同様の再生処理を実施することで、映像および音声を再生することができる。例えば、「ｍｏｖｉｅ０００．ｍ２ｔ」の末尾部分にストリームの表示時間情報がまとめて格納されている場合、管理ファイル「ｍｏｖｉｅ０００．ｃｔｓ」内のファイル名および分割ファイルのデータサイズを参照することにより、どの分割ファイルの何バイト目から格納されているかを割り出し、目的の表示時間情報を読み出すことができる。他の再生処理および編集処理についても同様である。
【００４６】
なお、本実施の形態では、３つのファイルに分割したが、図１１に示すように、２つのファイルに分割しても良い。この場合、図２と比べて、ストリームＢの途中で論理ブロック中の未使用領域が発生しないので、ストリームと論理ブロックとの関係を把握し易く（計算し易く）なる。
【００４７】
なお、図１１では、ファイルの分割個所が、編集後のトランスポートストリームの不連続点（意味的に不連続な点）に相当する。この不連続点は、具体的には、ＰＣＲ／ＰＴＳ／ＤＴＳ等の値の連続性、カウンタ値、およびＴ−ＳＴＤのバッファの占有量規定の連続性を満足できない個所となる。この不連続点がパディングデータに相当し、さらにファイルの分割個所に一致している。
【００４８】
（実施の形態２）
実施の形態２は実施の形態１とは、編集後の３つのファイルおよび管理ファイルのディレクトリ階層上の置き場所が異なる。その他の構成は、実施の形態１と同じである。
【００４９】
図４は、本実施形態における編集後のファイル構成を示す図である。図４において、本実施形態におけるファイル構成と、図３に示す実施の形態１におけるファイル構成との違いは、４つのファイル「ｍｏｖｉｅ０００−００１．ｐｔｓ」、「ｍｏｖｉｅ０００−００２．ｐｔｓ」、「ｍｏｖｉｅ０００−００３．ｐｔｓ」、および「ｍｏｖｉｅ０００．ｃｔｓ」をひとつのディレクトリ「ｍｏｖｉｅ０００．ｄｔｓ」の下に配置している点にある。
【００５０】
図５は、本実施形態におけるディレクトリ「ｍｏｖｉｅ０００．ｄｔｓ」のデータ領域のデータ構造を示す図である。図５に示すように、ディレクトリ「ｍｏｖｉｅ０００．ｄｔｓ」の下の４つのファイル「ｍｏｖｉｅ０００−００１．ｐｔｓ」、「ｍｏｖｉｅ０００−００２．ｐｔｓ」、「ｍｏｖｉｅ０００−００３．ｐｔｓ」、および「ｍｏｖｉｅ０００．ｃｔｓ」のそれぞれに対応して、ディレクトリ・エントリ＃１、＃２、＃３、および＃４が順番に記録されている。
【００５１】
編集制御部１６４が動画ファイルの途中部分を削除する場合、図４に示すように、ディレクトリ「ｍｏｖｉｅ０００．ｄｔｓ」およびそのディレクトリの下の４つのファイルで構成することにより、データストリーム内にパディングを挿入する必要が一切無くなる。
【００５２】
本実施形態によれば、ディレクトリ「ｍｏｖｉｅ０００．ｄｔｓ」内の４つのファイルに対するディレクトリ・エントリは、データストリームを構成する順序に従って、図５のように記録されることで、ディレクトリ・エントリの記録順序に従って再生すれば良いことになり、ファイル名がユーザによって間違って修正されたとしても、再生には何ら影響しないより堅牢な装置を構成できる。同時に、ファイル名を自由に割り付けることが可能になるという利点もある。
【００５３】
なお、各実施の形態では、部分削除後は、３つのファイルに分割されるものとしたが、１つ目と２つ目を合体させて２つのファイルとしても良い。これにより、ファイル末尾のデータを含む論理ブロック内の未使用部分を３分の２程度へと減らすことができる。
【００５４】
また、各実施の形態では、分割後のファイル名は「ｍｏｖｉｅ０００−００１．ｐｔｓ」のように１６文字としたが、分割前のファイル名「ｍｏｖｉｅ０００．ｍ２ｔ」と区別可能であれば、例えば「ｍ０００−００１．ｐｔｓ」のように１２文字であっても良い。また、別の文字数であっても良いことは言うまでもない。
【００５５】
また、各実施の形態では、編集前の動画ファイルはトランスポートストリームであるものとしたが、そのトランスポートストリームに含まれる情報の意味として、ファイルヘッダ部分、ファイルボディ部分、およびファイルフッタ部分の３つの部分から構成しても良い。例えば、ファイルヘッダ部分およびファイルフッタ部分には、ファイルボディ部分の属性情報のみを格納しても良い。
【００５６】
また、各実施の形態では、編集前の動画ファイルは１８８バイトのパケットからなるトランスポートストリームであるものとしたが、１９２バイトのパケットからなるデータストリームであっても良い。例えば、ＩＥＥＥ１３９４インターフェースで送信されるトランスポートパケットは、１８８バイトに４バイトのタイミング情報を付加した１９２バイトが１単位となっているが、このようなデータストリームを記録する場合がある。また、１８８バイト以外のデータサイズのパケットからなるデータストリームであっても良いことは言うまでもない。これは、特に、論理ブロックのデータサイズとパケットのデータサイズが整数倍の関係でない場合に有効である。
【００５７】
また、各実施の形態では、論理ブロックのデータサイズは３２ｋＢｙｔｅであるものとしたが、ＵＤＦ（Universal Disk Format）ファイルシステムを使用することにより、２ｋＢｙｔｅとして取り扱っても良い。この場合であっても、最大（１８８Ｂｙｔｅと２ｋＢｙｔｅの最小公倍数である）９４ｋＢｙｔｅバイトのパディングが不要になるので、本発明は有効である。
【００５８】
また、各実施の形態において、記憶媒体は相変化光ディスク（相変化光ディスク１３１）であるものとしたが、特にこれに限定するものではなく、例えばＤＶＤ−ＲＡＭ、ＭＯ（光磁気ディスク）、ＤＶＤ−Ｒ、ＤＶＤ−ＲＷ、ＤＶＤ＋ＲＷ、ＣＤ−Ｒ、ＣＤ−ＲＷ等の光ディスクやハードディスク等のディスク形状を有する記録媒体、磁気テープ、およびフラッシュメモリ等の半導体メモリであっても良い。
【００５９】
【発明の効果】
以上説明したように、本発明によれば、編集処理により、ファイルの途中を削除して残りの部分を結合する場合に、パディング用のトランスポートパケットを挿入する必要が一切無く、限られた記録スペースを有効に利用することが可能になる。
【図面の簡単な説明】
【図１】  本発明の実施の形態１に係る情報記録再生装置の機能構成を示すブロック図
【図２】  本発明の実施の形態１に係る情報記録再生装置における編集後の動画ファイルのデータ構造を示す図
【図３】  本発明の実施の形態１に係る情報記録再生装置における編集後のファイル構成を示す図
【図４】  本発明の実施の形態２に係る情報記録再生装置における編集後のファイル構成を示す図
【図５】  本発明の実施の形態２に係る情報記録再生装置におけるディレクトリのデータ領域のデータ構造を示す図
【図６】  従来の情報記録再生装置の機能構成を示すブロック図
【図７】  相変化光ディスクにリアルタイムで動画ファイルを記録する場合の記録形態を示す図
【図８】  トランスポートパケットのデータ構造を示す図
【図９】  動画ファイルがＦＡＴファイルシステムによって管理されている状態を示すデータ構造図
【図１０】  従来の情報記録再生装置における編集後の動画ファイルのデータ構造を示す図
【図１１】  本発明の実施の形態１に係る情報記録再生装置における別の編集後の動画ファイルのデータ構造を示す図
【符号の説明】
１００  映像信号入力部
１０１  映像圧縮部
１０２  音声信号入力部
１０３  音声圧縮部
１０４  システムエンコード部
１１０  映像表示部
１１１  映像伸長部
１１２  音声出力部
１１３  音声伸長部
１１４  システムデコード部
１２０  記録部
１２１  再生部
１３０  ピックアップ
１３１  相変化光ディスク
１６０  連続データ領域検出部
１６１  記録制御部
１６２  再生制御部
１６３  論理ブロック管理部
１６４  編集制御部
１７０  ＭＰＥＧエンコーダ
１７１  ＭＰＥＧデコーダ
２００、３００  情報記録再生装置
【図１】
0003795382.tif 000002
【図２】
0003795382.tif 000003
【図３】
0003795382.tif 000004
【図４】
0003795382.tif 000005
【図５】
0003795382.tif 000006
【図６】
0003795382.tif 000007
【図７】
0003795382.tif 000008
【図８】
0003795382.tif 000009
【図９】
0003795382.tif 000010
【図１０】
0003795382.tif 000011
【図１１】
0003795382.tif 000012